(57)【特許請求の範囲】
【請求項１】
少なくとも一部の柱が外壁より外側に立設され、柱間に結合された大梁によりスラブを支持するアウトフレーム型建造物の外断熱構造であって、
前記スラブを外壁より内側の室内側スラブと、外壁より外側の室外側スラブとに分割し、それらの間に断熱材を介在させたことを特徴とする外断熱構造。
【請求項２】
前記室内側スラブの外壁側端部を、外壁を貫通する大梁間に結合された保持部材で保持することを特徴とする請求項１に記載の外断熱構造。
【発明の詳細な説明】
【０００１】
【発明の属する技術分野】
本発明は、アウトフレーム型建造物の外断熱構造に係り、特に、バルコニー等の建造物の外壁より外側にスラブが設けられた建造物に好適な外断熱構造に関する。
【０００２】
【従来の技術】
従来より、建造物の断熱構造として建造物の外壁面側に断熱層が設けられた外断熱構造が知られている。この外断熱構造は、壁の外側で断熱が行われるため、建造物の躯体を構成する構造材料（例えばコンクリート）の熱容量により建造物内部の温度変化を小さく抑制できる。また躯体の温度変化も小さくなるため、躯体の熱疲労を防止してその耐久性を向上させることができる。
【０００３】
また、ベランダやバルコニー、あるいは共用廊下などを有する例えばマンションなどの集合住宅には、アウトフレーム型の構造を採用しているものがある。このアウトフレーム型の構造は、室内空間を広く有効に利用するために柱がベランダやバルコニー等の外端部側に設けられている。即ち、柱が室外に設けられているので、床スラブは室内側から室外に延設させて一体に形成され、室外に設けられた柱に結合された大梁に支持されている。
【０００４】
【発明が解決しようとする課題】
ところで、前記アウトフレーム型建造物を前記外断熱する場合には、建造物と外部空間との熱伝達経路、いわゆる熱橋（ヒートブリッジ）となる床スラブの外側部分に断熱補強を施す必要がある。
【０００５】
しかしながら室外側スラブ下面への断熱補強は比較的容易に施工できるが、上面に断熱層を設けるとその断熱層への水の浸入を防止することが必要となる。このため、断熱層の収まりが悪くなり、またコストが上昇する等の不都合を招いてしまい、室外側スラブ上面に断熱層を設けることは現実的ではない。
【０００６】
本発明は上述の点に鑑みてなされたものであり、室外側スラブを有するアウトフレーム型建造物の優れた断熱性を安価に確保することが可能な外断熱構造を提供することを目的とする。
【０００７】
【課題を解決するための手段】
本発明の請求項１に示す外断熱構造は、少なくとも一部の柱が外壁より外側に立設され、柱間に結合された大梁によりスラブを支持するアウトフレーム型建造物の外断熱構造であって、前記スラブを外壁より内側の室内側スラブと、外壁より外側の室外側スラブとに分割し、それらの間に断熱材を介在させたことを特徴とする。
即ち、外壁より外側に立設された柱を含む柱間に結合された大梁によりスラブは支持されているので、このスラブを室内側スラブと室外側スラブとに分割してもそれらの構造強度を確保することができる。そして、室内側スラブと室外側スラブとの間には断熱材が介在されているので、室内スラブと室外側スラブとの間で熱伝達が生じることはない。よって、室外側スラブの上面に、高価な断熱補強を施す必要はない。
【０００８】
また、前記室内側スラブの外壁側端部を、外壁を貫通する大梁間に結合された保持部材で保持してもよい。
即ち、室内側スラブは保持部材を介して大梁に支持されるため、柱と接合された室外側スラブと分割されても十分な支持強度を確保することができる。
【０００９】
【発明の実施の形態】
以下、図面を参照して本発明の好ましい実施形態を説明する。
図１〜３は、本発明の一実施形態であるアウトフレーム型ＲＣ造建造物を示し、図１は本実施形態の建造物の概略構造を示す平断面図であり、図２は図１の側断面図を示し（ａ）は図１のＡ−Ａ断面図（ｂ）は図１のＢ−Ｂ断面図であり、図３は図１のＣ部拡大図である。
【００１０】
本実施形態の建造物１０はたとえば、外壁２０面側に断熱層２６が形成され外断熱構造をなす集合住宅であり、桁行き方向に沿って連設された住戸と、それら各住戸に繋がる共用廊下１４とで構成されている。前記住戸は、平面視四辺形状に区画された居室１２と、前記共用廊下１４の反対側に設けられたバルコニー１８とで構成されている。
【００１１】
この建造物１０の各住戸の境界部分には、外壁２０より外側に立設されバルコニー１８の外端部側に配置された外側柱１６と、居室１２の共用廊下１４側に配置された内側柱２２とが設けられている。前記内側柱２２同士間および外側柱１６同士間には桁行方向の大梁２８が架け渡され、内側柱２２と外側柱１６との間には梁間方向の大梁３０が架け渡されている。
【００１２】
各住戸のスラブは、外壁２０より内側で居室１２を構成する室内側スラブ１２ａと、外壁２０より外側でバルコニー１８を構成する室外側スラブ１８ａとに分割されている。前記室内側スラブ１２ａは、その３辺が前記内側柱２２間の桁行方向の大梁２８と２本の梁間方向の大梁３０とで支持され、バルコニー１８側の一辺は２本の梁間方向の大梁３０の間に架け渡された保持部材をなす小梁３２で保持されている。また、室外側スラブ１８ａは外壁２０を貫通して外方に突設された梁間方向の大梁３０と外側柱１６間の桁行方向の大梁２８とでその３辺が支持されている。
【００１３】
そして、分割された室内側スラブ１２ａと室外側スラブ１８ａとの間には断熱材２６ａが介在され、この断熱材２６ａは前記断熱層２６と繋がって一体をなしている。即ち、前記梁間方向の大梁３０のみが外壁２０面からバルコニー１８側に向かって突設され断熱層２６を貫通している。
【００１４】
このように本実施形態によれば、室内側スラブ１２ａと室外側スラブ１８ａとは分割され、それらの間に断熱材２６ａが介在されているので、室外側スラブ１８ａから室内側スラブ１２ａに熱が伝達されることはない。また、この断熱材２６ａは、建造物１０の外壁２０面側に設けられた断熱層２６と一体に設けられているので、室外側スラブ１８ａ周辺からも居室１２内に熱が伝達されない。よって、室外側スラブ１８ａと外部空間との間で授受された熱は、室外側スラブ１８ａが支持されている梁間方向の大梁３０以外の部分からは伝達されないことになる。即ち、この建造物１０の外壁２０面において断熱層２６が設けられていない部分の表面積は、梁間方向の大梁３０の見付け面積だけとなり、従来のような室内側スラブ１２ａと室外側スラブ１８ａとが一体に設けられている場合に比べて大幅に低減される。従って、建造物１０の優れた断熱性能を有効に得ることができる。
【００１５】
また、このとき室外側スラブ１８ａの上面に断熱補強を施さないので、煩雑な作業がなくなるとともに余分な部材のコストが削減できるため、安価に前記外断熱構造を実現することができる。
【００１６】
また、室内側スラブ１２ａはその一辺が梁間方向の大梁３０に支持された小梁３２によって保持されているので、室外側スラブ１８ａと分割されてもその保持強度は十分に確保することができる。このとき、この小梁３２を図４に示すような扁平梁とすると、居室１２内に梁が突出せず室内空間をより広く使用することができる。さらに、必要に応じて外壁の外側にも梁間大梁３０間に小梁を架け渡し、この小梁に室外側スラブ１８ａの居室側端部を保持してもよい。
【００１７】
なお、上記実施形態では、本発明がバルコニー１８の結合部分での断熱性を確保すべく適用された場合について説明したが、これに限るものではない。例えば、廊下側についても、共用廊下が外部に開放された外廊下であり、居室の廊下側の仕切り壁が外壁をなし、その共用廊下の外端部側に柱が設けられたアウトフレーム構造を有する場合であっても、スラブを廊下側と室内側とに分割し、それらの間に断熱材を介在させることにより同様の作用効果を得ることができる。
【００１８】
【発明の効果】
以上説明したように、本発明によれば、外壁より外側に立設され柱を含む柱間に結合された大梁によりスラブは支持されているので、室内側スラブと室外側スラブとに分割しても構造強度を確保することができる。そして、室内側スラブと室外側スラブとの間には断熱材が介在されているので、それらの間で熱伝達が生じることはない。よって、施工に手間がかかり高価な、室外側スラブ上面への断熱補強を施すことなく、建造物の良好な断熱性を安価に確保することができる。
【００１９】
また、前記柱に結合された大梁に支持される保持部材を設け、この保持部材で前記室内側スラブの外壁側端部を保持すると、室内側スラブが室外側スラブと分割されても十分な強度を確保することができる。
【図面の簡単な説明】
【図１】本発明の一実施形態にかかる建造物の概略構造を示す平断面図である。
【図２】図１の側断面図であり（ａ）はＡ−Ａ断面図（ｂ）はＢ−Ｂ断面図である。
【図３】図１のＣ部拡大図である。
【図４】本発明の変形例を示す側断面図である。
【符号の説明】
１０  建造物
１２ａ  室側スラブ
１６  （外側柱）柱
１８  室外側スラブ
２０  外壁
３０  梁間大梁（大梁）
３２  小梁（保持部材）
【図１】
0003767363.tif 000002
【図２】
0003767363.tif 000003
【図３】
0003767363.tif 000004
【図４】
0003767363.tif 000005